(57)【要約】【課題】別の光ディスク装置と互換性を有し、光ディスクのＰＣＡ内の未記録領域Ｑの残量を考慮することなく試し書きを行える光ディスク装置を提供する。【解決手段】光ディスクｄに対してレーザ光を射出する光源３１，３２と、光ディスクのＰＣＡ内にＯＰＣを実行するためのアドレスＡｐをランダムに設定する設定手段６と、アドレスＡｐが、既記録領域Ｐにあるか否かを判定する判定手段６と、アドレスＡｐがＰＣＡ内の既記録領域Ｐ内の場合、アドレスＡｐから所定区間分の第１の領域を消去し、消去した第１の領域に試し書きを行い、アドレスＡｐがＰＣＡ内の未記録領域Ｑ内にある場合、所定の区間分の第２の領域に試し書きを行い、最適記録パワー値を取得し、第２の領域を消去する試し書き手段とを備えている。【選択図】図４
2011060345.tif 000002
【特許請求の範囲】
【請求項１】
光ディスクに対してレーザ光を射出する光源と、 
前記光ディスクの試し書き領域を用いて前記光ディスクに対して照射される前記レーザ光の最適記録パワーを求めるために、前記光ディスクの試し書き領域内でデータの試し書きを実行する実行アドレスをランダムに設定する設定手段と、
前記設定手段により設定された前記実行アドレスが、前記試し書き領域内で既にデータが記録されている既記録領域にあるか、データが記録されていない未記録領域にあるかを判定する判定手段と、
前記設定手段により設定された前記実行アドレスが前記既記録領域にあると前記判定手段が判定した場合、前記実行アドレスから前記既記録領域の所定の区間内の第１の領域のデータを消去し、消去された前記第1の領域に対してデータの試し書きを行なって前記最適記録パワー値を取得し、前記設定手段により設定された前記実行アドレスが前記未記録領域にあると前記判定手段が判定した場合、前記実行アドレスから前記未記録領域の所定の区間内の第２の領域に対してデータの試し書きを行って前記最適記録パワー値を取得し、前記第２の領域に記録されたデータを消去する試し書き手段と
を備えることを特徴とする光ディスク装置。 
【発明の詳細な説明】
【技術分野】
【０００１】
本発明は、試し書き領域を備えた光ディスクに対して、最適記録パワー調整を実行する光ディスク装置に関するものである。
【背景技術】
【０００２】
ＤＶＤ−Ｒ（Digital Versatile Disk Recordable）、ＤＶＤ−ＲＷ（Digital Versatile Disk Re-Writable）等の記録型光ディスクは、最適記録パワー調整（Optical Power Correct、以下「ＯＰＣ」と記す）を実行するための試し書き領域を備えている。試し書き領域は、パワーキャリブレーション領域（Power Calibration Area）とも呼ばれ、以下、試し書き領域「ＰＣＡ」と記す。光ディスク装置は、装着された光ディスクのＰＣＡ内で、ＯＰＣ毎に、階段状に変化させた記録パワーを用いてデータの試し書きを行って複数の記録パワーによるデータ（試し書きデータ）を記録する。そして、光ディスク装置は、これらの複数の記録パワーによるデータを再生した結果に基づいて、データ記録用レーザ光の記録パワーを最適値に調整している。
【０００３】
記録型光ディスクのうち、ＤＶＤ−ＲＷ等の書換可能型光ディスクの場合、光ディスク装置は、書換可能型光ディスクのＰＣＡ内の試し書きデータを消去することができる。ＯＰＣ毎に試し書きデータを消去せずにＯＰＣを繰り返して試し書き用の空きスペース（未記録領域）がなくなった場合、光ディスク装置は、全ての試し書きデータを消去して空きスペースを作成し、ＯＰＣを可能にする。
【０００４】
光ディスクのＰＣＡ内に試し書きデータを消去して空きスペースを作成する技術としては、ＯＰＣ実行後、このＯＰＣを行った先頭アドレスから一定区間内の記録跡を消去して、空きスペースを作成する技術がある（特許文献１参照）。
【０００５】
また、光ディスク装置に光ディスクが装着されたことをセンサが検知すると、光ディスクのＰＣＡ内にＯＰＣを５回分行えるだけの空きスペースがあるか否かを検出し、この空きスペースがない場合、ＰＣＡ内の試し書きデータを全て消去し、一方、この空きスペースがある場合、試し書きデータを全て消去することなく、残りの空きスペースに試し書きを行う技術がある（特許文献２参照）。
【先行技術文献】
【特許文献】
【０００６】
【特許文献１】特開２００３−２７２１５７号公報
【特許文献２】特開２００６−１２７５７７号公報
【発明の概要】
【発明が解決しようとする課題】
【０００７】
光ディスク装置が光ディスクのＰＣＡ内の試し書きデータをすべて消去するには、例えば、数十秒程度の消去時間が必要である。よって、光ディスク装置は、試し書きデータをすべて消去する場合、直ちに実データの記録（以下「本記録」という）を行うことができない不都合があった。
【０００８】
また、本記録の開始直前に消去動作が行われると、試し書きデータを消去する時間が、試し書き後の本記録で用いる記録用データを予めバッファにバックアップしておく時間よりも長く、時間差が生じる場合がある。その場合、この時間差に相当する記録用の実データがバッファからオーバーフローしてしまい、記録用の実データを正常に光ディスクに記録できない恐れがあった。
【０００９】
さらに、別の光ディスク装置においてＰＣＡの未記録領域の検索などを行うと不具合を起こす場合もあった。
【００１０】
そこで、本発明は、上記した課題を解消するために創案されたものであり、他の光ディスク装置との互換性を保ち、かつ短時間で試し書きデータの消去を行う装置を提供することを目的とする。
【課題を解決するための手段】
【００１１】
上記目的を達成するために、本発明の光ディスク装置は、
光ディスク（ｄ）に対してレーザ光を射出する光源（３１，３２）と、光ディスクの試し書き領域を用いて光ディスクに対して照射されるレーザ光の最適記録パワーを求めるために、光ディスクの試し書き領域内でデータの試し書きを実行する実行アドレスをランダムに設定する設定手段（６）と、設定手段により設定された実行アドレスが、試し書き領域内で既にデータが記録されている既記録領域（Ｐ）にあるか、データが記録されていない未記録領域（Ｑ）にあるかを判定する判定手段（６）と、設定手段により設定された実行アドレスが既記録領域にあると判定手段が判定した場合、実行アドレスから既記録領域の所定の区間内の第１の領域のデータを消去し、消去された第１の領域に対してデータの試し書きを行って最適記録パワー値を取得し、設定手段により設定された実行アドレスが未記録領域にあると判定手段が判定した場合、実行アドレスから未記録領域の所定の区間内の第２の領域に対してデータの試し書きを行なって最適記録パワー値を取得し、第２の領域に記録されたデータを消去する試し書き手段（６）とを備える。 
【発明の効果】
【００１２】
本発明によれば、光ディスクのＰＣＡ内の未記録領域の残量を考慮することなく、ＰＣＡ内で試し書きをランダムに行なうことができ、また、試し書きをＰＣＡ内の未記録領域内で行なっても未記録領域内には試し書きデータを消去するので、他の光ディスク装置との互換性を維持した光ディスク装置を提供することができる。
【図面の簡単な説明】
【００１３】
【図１】本発明の光ディスク装置の主要部を説明するための図である。
【図２】光ディスク装着時の処理を示すフローチャートである。
【図３】光ディスクのＰＣＡを説明するための図である。
【図４】ＯＰＣ実行時の処理を示すフローチャートである。
【図５】ＰＣＡ内の既記録跡領域で行うＯＰＣを説明するための図である。
【図６】ＰＣＡ内の未記録跡領域で行うＯＰＣを説明するための図である。
【発明を実施するための形態】
【００１４】
本発明の実施の形態を、図１〜図６を用いて、説明する。
【００１５】
光ディスク装置１は、図１に示すように、スピンドルモータ２、光ピックアップ３、信号処理回路４、サーボコントローラ５、制御部６、サーボドライバ７を備えている。符号ｄは光ディスクを示す。
【００１６】
光ディスクｄは、書換可能型光ディスクであり、ＢＤ(Blu-ray Disc)規格の光ディスクｄの場合はＢＤ−ＲＥ（Blu-ray Disc REwritable）、ＤＶＤ規格の光ディスクｄの場合には、ＤＶＤ−ＲＷ、ＤＶＤ＋ＲＷ、ＤＶＤ−ＲＡＭ（Digital Versatile Disk Random Access Memory）である。
【００１７】
スピンドルモータ２は、スピンドル２ａの回転中心にその中心が取り付けられたターンテーブル（図示せず）上に装着（チャッキング）された光ディスクｄを、サーボドライバ７の回転制御による回転数で回転する。
【００１８】
光ピックアップ３は、記録再生用光ピックアップであり、ＢＤレーザ３１、ＤＶＤレーザ３２、フォトディテクタ３３，３４、ヘッドアンプ３５を備えている。
【００１９】
ＢＤレーザ３１は、ＢＤ規格の光ディスクｄ（ＢＤ−ＲＥ）がターンテーブルに装着されたときにＢＤ対応の記録・消去・再生のいずれかのパワーでＢＤレーザ光を照射する。また、ＤＶＤレーザ３２は、ＤＶＤ規格の光ディスクｄ（ＤＶＤ−ＲＷ、ＤＶＤ＋ＲＷ、ＤＶＤ−ＲＡＭ）がターンテーブルに装着されたときにＤＶＤ対応の記録・消去・再生のいずれかのパワーでＤＶＤレーザ光を照射する。例えば、ＢＤレーザ光の波長は４０５ｎｍ、ＤＶＤレーザ光の波長は６５０ｎｍである。
【００２０】
ＢＤ規格の光ディスクｄにＢＤレーザ光を照射して得られる反射光は、フォトディテクタ３３で受光検知され、光電変換信号としてヘッドアンプ３５へ出力される。ヘッドアンプ３５は供給される光電変換信号を所定の増幅率で増幅し、ＲＦ信号として信号処理回路４へ出力する。
【００２１】
信号処理回路４は、光ピックアップ３のヘッドアンプ３５から供給されるＲＦ信号を予め設定されているＲＦ信号レベルと比較して得た差信号を、ＲＦ信号としてサーボコントローラ５へ出力する。信号処理回路４には、制御部６から、予め設定されているＲＦ信号レベルに関する情報等が、制御信号として供給される。
【００２２】
ＤＶＤ規格の光ディスクｄがターンテーブルに装着されたときは、ＢＤ規格の光ディスクｄの場合と同様に、ＤＶＤレーザ光を照射して得られる反射光は、フォトディテクタ３４で受光検知され、光電変換信号としてヘッドアンプ３５へ出力される。ヘッドアンプ３５は、ＢＤ規格の場合と同様に、供給される光電変換信号を所定の増幅率で増幅し、ＲＦ信号として信号処理回路４へ出力する。また、信号処理回路４は、ＢＤ規格の場合と同様に、光ピックアップ３のヘッドアンプ３５から供給されるＲＦ信号を予め設定されているＲＦ信号レベルと比較して得た差信号を、ＲＦ信号としてサーボコントローラ５へ出力する。また、ＢＤ規格の場合と同様に、信号処理回路４には、制御部６から、予め設定されているＲＦ信号レベルに関する情報等が、制御信号として供給される。
【００２３】
サーボコントローラ５は、制御部６の制御に基づいて、信号処理回路４から供給されるＲＦ信号である差信号がゼロとなるように、スピンドルモータ２の回転制御、光ピックアップ３のレーザ光のパワー制御・フォーカス制御・トラッキング制御・チルト制御、光ピックアップ３の移送制御等の各種サーボ制御を実行するためのサーボ制御信号を、サーボドライバ７へ出力する。
【００２４】
また、制御部６は、光ディスク装置１全体の制御もする。
【００２５】
さらに、制御部６には、ターンテーブルに装着される光ディスクｄを光ディスク装置１外へ取り出すための図示しないトレイのイジェクト（排出）、外部から光ディスク装置１内へ導挿入される光ディスクｄをターンテーブルに装着するためのローディング（挿入）をそれぞれ検知した検知信号や、ユーザの操作により図示しない操作入力部（バックエンド）から入力される記録、再生、消去等の各種の操作コマンド（操作信号）等が入力される。そして、制御部６は、検知信号や各種の操作信号に基づいて生成した、予め設定されているＲＦ信号レベルに関する情報や、各種の制御信号を、信号処理回路４、サーボコントローラ５へそれぞれ出力する。制御信号には、光ディスクｄのディスク判別結果であるディスク判別信号等を含んでもよい。
【００２６】
サーボドライバ７は、サーボコントローラ５から供給される各種のサーボ制御信号に基づいて、スピンドルモータ２へ回転制御信号を出力し、また、光ピックアップ３へパワーサーボ・フォーカスサーボ・トラッキングサーボ・チルトサーボ、移送制御等の各種制御信号を出力する。
【００２７】
サーボドライバ７からスピンドルモータ２へスピンドル２ａを回転起動するための回転制御信号が供給されると、スピンドルモータ２は起動してスピンドル２ａを回転し、ターンテーブルに装着されている光ディスクｄを所定の回転数で回転する。また、サーボドライバ７から光ピックアップ３へディスク判別信号等の各種制御信号が供給されると、光ピックアップ３は、光ディスクｄに照射するＢＤレーザ３１又はＤＶＤレーザ３２を選択し、これに応じた記録パワー又は再生パワーの設定、フォーカス調整、トラッキング調整、チルト調整、光ピックアップ３の移送調整等を行う。
【００２８】
以上のようにして、光ディスク装置１は、各種の光ディスクｄに対する記録再生を行うことができる。
【００２９】
次に、光ディスク装置１に書換可能型の光ディスクｄが装着されたときに行なわれる、光ディスク装着時の処理について、図２を用いて説明する。
【００３０】
制御部６は、光ディスクｄが図示しないターンテーブルの所定位置に装着され、かつユーザの入力操作モードが記録を指示する「記録モード」であることを検知すると、サーボコントローラ５に対してスピンドルモータ２を回転起動するための制御信号を出力する。そして、サーボコントローラ５はサーボドライバ７へ回転制御信号を出力する。続いて、スピンドルモータ２はスピンドル２ａを回転し、回転されたスピンドル２ａによって、ターンテーブル上に装着されている光ディスクｄは回転する（ステップＳ１）。
【００３１】
光ディスクｄを回転させた後、制御部６は、光ディスクｄの回転数が所定値を超えたことを検知すると、サーボコントローラ５に対して図示しない光ピックアップ移送機構を起動するための制御信号を出力する。この制御信号に応じて、サーボコントローラ５はサーボドライバ７に対して、光ピックアップ移送機構を光ディスクｄの試し書き領域であるＰＣＡに所定の間隙をもって対向する位置へ移送（シーク）するための移送制御信号を出力する。そして、光ピックアップ３を装着した光ピックアップ移送機構は、光ディスク装置１内の所定の待機位置から光ディスクｄの半径方向に移送されて、光ディスクｄのＰＣＡに対向する位置へ光ピックアップ３を移送する（ステップＳ２）。
【００３２】
ここで、光ディスクｄのＰＣＡは、各種の記録データを記録するためのデータ領域の最外周又は最内周領域に設けられている。ここでは説明の都合上、光ディスクｄのＰＣＡがデータ領域の最内周に設けられている場合について説明するが、ＰＣＡがデータ領域の最外周領域に設けられている場合でも同様にＢＤレーザ３１（又はＤＶＤレーザ３２）の最適記録パワー調整であるＯＰＣを行うことができることは勿論である。
【００３３】
次に、図３を用いてＰＣＡ内のアドレスを取得する方法について説明する。
【００３４】
制御部６は、光ピックアップ３が光ディスクｄのＰＣＡに対向する位置にあることを検知すると、サーボコントローラ５に対してＰＣＡのアドレスを読み出すためのアドレス読出制御信号を出力する。アドレス読出制御信号に応じて、サーボコントローラ５はサーボドライバ７を介して、図３に示すＰＣＡ内の最大アドレスであるＰＣＡ最大アドレスＡｏから最小アドレスであるＰＣＡ最小アドレスＡｉへ向かって、ＢＤレーザ３１（又はＤＶＤレーザ３２）からＢＤレーザ光（又はＤＶＤレーザ光）を照射して走査するように、光ピックアップ３へ再生走査制御信号を出力する。
【００３５】
光ピックアップ３のＢＤレーザ３１（又はＤＶＤレーザ３２）は光ディスクｄに応じた再生パワーによりＰＣＡへＢＤレーザ光（又はＤＶＤレーザ光）を照射して、ＰＣＡ最小アドレスＡｉから境界アドレスであるＰＣＡ既記録境界アドレスＡｅを経てＰＣＡ最大アドレスＡｏに至る一連のアドレスを連続して読み出し、ＰＣＡ最大アドレスＡｏからＰＣＡ境界アドレスＡｅまでの既記録領域Ｐと、ＰＣＡ境界アドレスＡｅからＰＣＡ最小アドレスＡｉまでの未記録領域Ｑに関するアドレス情報を取得する（ステップＳ３，Ｓ４）。
【００３６】
光ディスクｄのＰＣＡ内には、ＯＰＣで使用された記録パワーを階段状に変化させた試し書きによるデータ（試し書きデータ）が、ＰＣＡ最大アドレスＡｏからＰＣＡ最小アドレスＡｉへ向かう方向に連続して記録されていく。なお、既記録領域Ｐは既に試し書きデータが記録されている領域であり、未記録領域Ｑは試し書きデータが記録されていない領域である。
【００３７】
既記録領域Ｐと未記録領域Ｑとを併せたＰＣＡ全体では、数百回程度のＯＰＣによる試し書き記録を行えるだけのスペースが確保されており、未記録領域Ｑを検知するには、ＰＣＡ最小アドレスＡｉからＰＣＡ最大アドレスＡｏに向かって、ＢＤレーザ３１（又はＤＶＤレーザ３２）をシークしてＰＣＡ境界アドレスＡｅを検出すれば良い。図３に示す場合、ＰＣＡ最大アドレスＡｏからＰＣＡ境界アドレスＡｅに至る既記録領域ＰがＰＣＡ全体の７０％であり、ＰＣＡ境界アドレスＡｅからＰＣＡ最小アドレスＡｉに至る未記録領域Ｑは、同３０％である。
【００３８】
以上のように、ＯＰＣの実行前処理（光ディスクｄの起動処理、ＰＣＡ内の既記録領域Ｐ及び未記録領域Ｑの判別処理）が終了する。
【００３９】
次に、ＯＰＣの実行処理について、図４〜図６を用いて説明する。
【００４０】
制御部６（設定手段）は、ＯＰＣの実行前処理が終了したことを検知すると、ＯＰＣを実行する毎に、既記録領域Ｐと未記録領域Ｑとを含むＰＣＡ全体の内から、１回のＯＰＣで必要となるセクタ長Ｌ分の試し書きを行うための先頭のアドレスであるＯＰＣ実行アドレスＡｐを、ランダムに選び出す（ステップＳ５）。このＯＰＣ実行アドレスＡｐをランダムに選び出す理由は、ＰＣＡ内の特定アドレス領域のみで多数回の試し書きを繰り返すと、この領域の記録特性が劣化してしまうことにより、ＯＰＣで記録パワーを階段状に変化させた試し書きを行っても、この中から最適な記録パワー値を取得することができなくなるからである。
【００４１】
次に、制御部６は、サーボコントローラ５に対して、ＰＣＡからランダムに選び出したＯＰＣ実行アドレスＡｐへ、光ピックアップ移送機構を移送するための制御信号を出力する。これに応じて、サーボコントローラ５はサーボドライバ７に対して、図示せぬ光ピックアップ移送機構をこのＯＰＣ実行アドレスＡｐに所定の間隙をもって対向する位置へ移送するための移送制御信号を出力する。そして、光ピックアップ３のＢＤレーザ３１（又はＤＶＤレーザ３２）は、光ディスクｄのＰＣＡ内のＯＰＣ実行アドレスＡｐに対向する位置へ移送される（ステップＳ６）。
【００４２】
次に、制御部６（判定手段）は、このＯＰＣ実行アドレスＡｐがＰＣＡ境界アドレスＡｅ以上の既記録領域Ｐ内（図５）にあるアドレスであるか、未記録領域Ｑ内（図６）にあるアドレスであるかを判定する（ステップＳ７）。判定の結果、ＯＰＣ実行アドレスＡｐがＰＣＡ境界アドレスＡｅ以上の既記録領域Ｐ内のアドレスの場合（ステップＳ７「ＹＥＳ」）、制御部6（試し書き手段）は、光ピックアップ３のＢＤレーザ３１（又はＤＶＤレーザ３２）より階段状に変化させた消去用の記録パワーのＢＤレーザ光（又はＤＶＤレーザ光）を、既記録領域Ｐ内のＯＰＣ実行アドレスＡｐからＯＰＣで使用するセクタ長Ｌ分を加えたアドレスまで照射して、このセクタ長Ｌの区間に記録されている試し書きデータを消去する（ステップＳ８）。
【００４３】
次に、制御部６は、この試し書きデータの消去後、ＯＰＣ実行アドレスＡｐからセクタ長Ｌの区間において、前記の階段状に変化させた記録パワーのレーザ光で試し書きを実行する（ステップＳ９）。
【００４４】
さらに、制御部６は、階段状に変化させた複数の記録パワーにより試し書きしたデータを再生し、この再生結果から最適記録パワーの値を取得して（ステップＳ１０）、ＰＣＡの既記録領域Ｐ内におけるＯＰＣを終了する。
【００４５】
一方、制御部６（判定手段）は、ＯＰＣ実行アドレスＡｐがＰＣＡ境界アドレスＡｅ以上の既記録領域Ｐ内（図５）にあるアドレスであるか、未記録領域Ｑ内（図６）にあるアドレスであるかを判定し、判定の結果、ＯＰＣ実行アドレスＡｐがＰＣＡ境界アドレスＡｅ未満の未記録領域Ｑ内のアドレスの場合（ステップＳ７「ＮＯ」）、制御部６（試し書き手段）は、光ピックアップ３のＢＤレーザ３１（又はＤＶＤレーザ３２）より階段状に変化させた記録パワーのＢＤレーザ光（又はＤＶＤレーザ光）を、未記録領域Ｑ内のＯＰＣ実行アドレスＡｐからＯＰＣで使用するセクタ長Ｌ分を加えたアドレスまで照射して、試し書きを実行する（ステップＳ１１）。
【００４６】
次に、制御部６は、階段状に変化させた複数の記録パワーにより試し書きしたデータを再生し、この再生結果から最適記録パワーの値を取得する（ステップＳ１２）。
【００４７】
次に、制御部６は、ＯＰＣ実行アドレスＡｐからセクタ長Ｌ分に記録されている試し書きデータを消去して（ステップＳ１３）、
未記録領域Ｑ内におけるＯＰＣは終了する。
【００４８】
上述したように、ＯＰＣをＰＣＡ内の既記録領域Ｐ内で実行する場合（図５）は、既記録領域Ｐの一部の試し書きデータを消去し、消去した領域でＯＰＣを実行してその消去した領域を既記録状態とする。また、ＯＰＣを未記録領域Ｑ内で実行する場合（図６）は、未記録領域ＱでＯＰＣを実行した後、未記録領域Ｑ内に記録された試し書きデータの領域を消去する。よって、既記録領域Ｐと未記録領域Ｑの状態、すなわちＰＣＡ境界アドレスＡｅは変わらないので、ＰＣＡ境界アドレスＡｅからＰＣＡ最大アドレスＡｏまでの既記録領域Ｐの記録の連続性が保たれる。
【００４９】
なお、ＯＰＣ実行アドレスＡｐが未記録領域Ｑ内にあっても、ＯＰＣ実行アドレスＡｐからセクタ長Ｌ分を加えたアドレスが既記録領域Ｐに入る場合がある。この場合、制御部６（判定手段）は、ＯＰＣ実行アドレスＡｐを新たに選びなおすように制御してもよい。また、試し書きを実行するＯＰＣ実行アドレスＡｐからセクタ長Ｌ分を加えたアドレスまでの領域の内、既記録領域Ｐにかかる部分について、制御部６（試し書き手段）は、図４のステップＳ８〜ステップＳ１０までの処理をし、未記録領域Ｑにかかる部分について、図４のステップＳ１１〜ステップＳ１３までの処理をするように制御してもよい。そして、ステップＳ１１の処理はＯＰＣ実行アドレスＡｐからＰＣＡ境界アドレスＡｅまでの処理となり、ステップＳ８の処理はＰＣＡ境界アドレスＡｅからＯＰＣ実行アドレスＡｐよりセクタ長Ｌ分を加えたアドレスまでの処理となる。
【００５０】
また、ＯＰＣ実行アドレスＡｐが既記録領域Ｐ内にあり、ＯＰＣ実行アドレスＡｐからＰＣＡ最小アドレスＡｉまでの領域がセクタ長Ｌに満たない場合、制御部６（設定手段）
は、ＯＰＣ実行アドレスＡｐを新たに選びなおすように制御してもよい。
【００５１】
このため、別の光ディスク装置を用いて光ディスクｄのＰＣＡ内の既記録領域Ｐの検索を行った場合でも、問題なくＰＣＡ境界アドレスＡｅの検出が可能となるので、従来の書換可能型光ディスクに対応した光ディスク装置におけるＯＰＣとの互換性を維持することができる。
【００５２】
特に、ＤＶＤ規格のＶＲモードを使用して記録した光ディスクｄの場合、ファイナライズを行わなくても他機との間で自由に追記、削除などができるため、光ディスク装置１で記録したＶＲモードの光ディスクｄを別の光ディスク装置に入れて追記を行う場合がある。そのような場合でも、本発明の光ディスク装置によれば、別の光ディスク装置においてＰＣＡの未記録領域の検索などを行っても不具合を起こさないことを可能にするので、他の光ディスク装置におけるＯＰＣとの互換性を維持することができる。
【００５３】
さらに、１回のＯＰＣで調整に必要なセクタ長Ｌ分のＰＣＡ内の領域の消去を実行すれば良く、ＰＣＡ全体の消去を行う必要がないので、ＰＣＡ全体の消去を行う場合と比較して、起動時や記録開始時の所要時間が延びてしまうのを防ぐことができる。
【符号の説明】
【００５４】
１  光ディスク装置
２  スピンドルモータ
３  光ピックアップ
４  信号処理回路
５  サーボコントローラ
６  制御部
７  サーボドライバ
３１  ＢＤレーザ
３２  ＤＶＤレーザ
Ａｏ  ＰＣＡ最大アドレス
Ａｅ  ＰＣＡ既記録境界アドレス
Ａｉ  ＰＣＡ最小アドレス
Ａｐ  ＯＰＣ実行アドレス
ｄ  光ディスク
Ｌ  セクタ長（区間）
Ｐ  既記録領域
Ｑ  未記録領域
【図１】
2011060345.tif 000003
【図２】
2011060345.tif 000004
【図３】
2011060345.tif 000005
【図４】
2011060345.tif 000006
【図５】
2011060345.tif 000007
【図６】
2011060345.tif 000008